(57)【要約】【課題】本発明はブレード表面に少なくとも一弾性層を粘着し、ブレードの運用寿命を延長するだけでなく、断裂したブレードが飛び散ったりしないようにすることができ、且つ裁断工程における裁断の精確性の強化及び金属衝撃音の低下を図り、安全性を強化することができる複合式ブレードモジュールを提供することである。【解決手段】本発明は、一ブレードと、ブレードのエッジ面及び／或いは背面のどちらかに粘着する少なくとも一弾性層と、  を包括を包括する複合式ブレードモジュールを利用し、被裁断物に対して裁断を行う裁断機構であって、そのうち、裁断工程において、弾性層は一緩衝体としてブレードに作用する衝撃力を吸収し、ブレードの断裂を低減している。【選択図】図２
2015085506.tif 000002
【特許請求の範囲】
【請求項１】
一ブレードと、
ブレードのエッジ面及び／或いは背面のどちらかに粘着する少なくとも一弾性層と、
を包括して一裁断機構に設置する複合式ブレードモジュールであって、裁断機構は外部に露出するブレードのエッジ面を利用して一被裁断物に対して裁断を行うことを特徴とする複合式ブレードモジュール及びそれを用いる裁断機構。
【請求項２】
ブレードのエッジ面及び／或いは背面の一部に一層或いは多層の弾性層が粘着することを特徴とする請求項１に記載の複合式ブレードモジュール及びそれを用いる裁断機構。
【請求項３】
各弾性層は裁断機構の複合式ブレードに対する剛性或いは靭性の需要に基づき、厚さの調整及び材質の選出を行うことを特徴とする請求項１に記載の複合式ブレードモジュール及びそれを用いる裁断機構。
【請求項４】
弾性層は一軟性金属材質或いは一コロイド材質であることを特徴とする請求項１に記載の複合式ブレードモジュール及びそれを用いる裁断機構。
【請求項５】
各弾性層はブレードが受ける力の方向に基づき、ブレードのエッジ面及び／或いは背面の一部にどちらかに設けることを特徴とする請求項１に記載の複合式ブレードモジュール及びそれを用いる裁断機構。
【請求項６】
一定の間隔毎に一下ローラブレードを設置する一下ローラと、
一上ローラブレード及び上ローラブレードのエッジ面及び／或いは背面のどちらかに粘着する少なくとも一弾性層を含む一複合式ブレードモジュール、及び上ローラの一側面に固定し、複合式ブレードモジュールを挟持するブレード治具を含み、下ローラ上方に設置する一上ローラと、
上ローラと下ローラとの間に送込まれる一被裁断物と、   を包括する裁断機構であって、下ローラは既定の一方向に回転を行うことで、下ローラのエッジ面と上ローラの外部に露出するエッジ面とが一傾斜角度において互いにすり合って被裁断物を裁断することを特徴とする複合式ブレードモジュール及びそれを用いる裁断機構。
【請求項７】
上ローラを転動することによって上ローラブレードと下ローラブレードとがすり合う際の傾斜角度を調整することを特徴とする請求項６に記載の複合式ブレードモジュール及びそれを用いる裁断機構。
【請求項８】
ローラ面の一定の間隔毎にそれぞれ一回転ローラブレード及び回転ローラブレードのエッジ面の一部に粘着する少なくとも一第一弾性層を含む一第一複合式ブレードモジュールを配置し、そのうち、各第一弾性層はそれぞれ一第一固定板を設置し、各第一固定板を利用して各第一複合式ブレードモジュールを回転ローラのローラ面に固定する一回転ローラと、
回転ローラの傍に設置し、ローラ面に一固定ローラ一ブレード及び固定ローラブレードのエッジ面の一部に粘着する少なくとも一第二弾性層を包括する一第二複合式ブレードモジュールを配置し、そのうち、第二弾性層は一第二固定板を設置し、第二固定板を利用して第二複合式ブレードモジュールを固定ローラのローラ面に固定する一固定ローラと、
回転ローラと固定ローラとの間に送込まれる一被裁断物と、
を包括する裁断機構であって、回転ローラは既定の一方向に回転を行うことで、回転ローラの外部に露出するエッジ面と固定ローラの外部に露出するエッジ面とが水平角度において互いにすり合って被裁断物を裁断することを特徴とする複合式ブレードモジュール及びそれを用いる裁断機構。
【請求項９】
第二複合式ブレードモジュールはさらに固定ローラブレードの背面と固定ローラのローラ面との間に粘着する少なくとも一第三弾性層を包括することを特徴とする請求項８に記載の複合式ブレードモジュール及びそれを用いる裁断機構。
【請求項１０】
固定ローラブレード或いは回転ローラブレードのうちのどれかを一直線状ブレード或いは一鋸歯状ブレードとすることを特徴とする請求項８に記載の複合式ブレードモジュール及びそれを用いる裁断機構。
【発明の詳細な説明】
【技術分野】
【０００１】
本発明は、特に裁断機構において被裁断物に対して裁断を行う複合式ブレードモジュール及びそれを用いる裁断機構に関するものである。
【背景技術】
【０００２】
従来、裁断ブレードモジュールは互いに相対する二組のスチール製のブレードをそれぞれ各金属ローラ体構成に固定し、ブレード同士をすり合わせることで、例えば製紙、繊維或いはプラスチックの原料等の一薄型被裁断物に対して裁断を行っている。そのうち、ブレードの厚さが厚い場合、たとえ硬度の要求を達したとしても、弾性又は靭性が不足していると、ブレード同士をすり合わせる際、接触の衝撃力が大きいため、ブレードの刃部或いはその構成の損傷を招き易く、また金属ブレード間の強力な衝撃は極めて大きい金属衝撃音が生じ、もしその衝撃力がさらに大きいと、裁断機構の振動を引き起こす恐れもある。一方、ブレードの厚さが薄い場合、確かに望ましい弾性を有しているが、剛性が不足しているため、裁断の結果、しばしば好ましいものができないでいる。
【０００３】
また、ブレードは裁断を行っている最中に磨損或いは断裂し易く、しばしば稼働を止めブレードの交換を行わなければないため、生産能力が低減し、生産効率に影響を及ぼしている。さらにはブレードが断裂した際、その破片が機構中に巻き込まれ、その他の部分に損傷をもたらし、多大な影響を及ぼすこともある。
【０００４】
また、裁断機構が稼働している際に発生する熱エネルギーは金属ローラ体よりブレードに伝導し、ブレードの熱膨張又は冷収縮により変形が発生し、裁断工程においてポジショニング偏移が発生するという問題が起こり、裁断の精確性に影響を及ぼしている。
【０００５】
これ等を鑑み、本発明はブレード表面に少なくとも一弾性層を粘着し、ブレードの運用寿命を延長するだけでなく、断裂したブレードが飛び散ったりしないようにすることができ、且つ裁断工程における裁断の精確性の強化及び金属衝撃音の低下を図り、安全性を強化することができる複合式ブレードモジュールを提供することが目的である。
【発明の概要】
【発明が解決しようとする課題】
【０００６】
本発明の目的は、一ブレードと、ブレードのエッジ面及び／或いは背面のどちらかに粘着する少なくとも一弾性層を包括する複合式ブレードモジュール及びそれを用いる裁断機構を提供するものであって、裁断機構が複合式ブレードモジュールを使用して一被裁断物を裁断する際、弾性層は衝撃を緩衝する一緩衝体としてブレード同士の衝撃力を吸収し、ブレードの断裂を低減することで、ブレードの運用寿命を延長している。
【０００７】
本発明のもう一つの目的は、粘着性を有する弾性層をブレード表面に粘着し、たとえブレードが裁断工程中に断裂したとしても、断裂したブレードは弾性層に付着し、断裂したブレードが裁断機構中に巻き込まれて損傷したり飛び散ったりして発生する人員の危険を回避できるため、裁断時の安全を確保できる複合式ブレードモジュール及びそれを用いる裁断機構を提供するものである。
【０００８】
本発明のもう一つの目的は、裁断機構が複合しくブレードを使用して裁断を行う場合、ブレード上に作用する衝撃力は弾性層に緩衝して吸収されることで、裁断工程中に発生する金属衝撃音を低減する複合式ブレードモジュール及びそれを用いる裁断機構を提供するものである。
【０００９】
本発明のもう一つの目的は、ブレード表面に少なくとも適切な材質、適切な厚さを選出して一弾性層を粘着することで、裁断機構に対する剛性或いは靭性の需要を適合する複合式ブレードモジュールを得る複合式ブレードモジュール及びそれを用いる裁断機構を提供するものである。
【００１０】
本発明のもう一つの目的は、裁断機構を稼働する場合、弾性体は裁断機構の稼働時に発生する熱エネルギーがブレードに伝導することを遮断し、ブレードの熱膨張又は冷収縮によるポジショニング偏移が発生するという問題が起こり、裁断の精確性に影響を及ぼすことを未然に防ぐ複合式ブレードモジュール及びそれを用いる裁断機構を提供するものである。
【課題を解決するための手段】
【００１１】
上述の目的を達成するため、本発明は、一ブレードと、ブレードのエッジ面及び／或いは背面のどちらかに粘着する少なくとも一弾性層とを包括して一裁断機構に設置する複合式ブレードモジュールであって、裁断機構は外部に露出するブレードのエッジ面を利用して一被裁断物に対して裁断を行っている。
【００１２】
本発明の一実施例において、ブレードのエッジ面及び／或いは背面の一部に一層或いは多層の弾性層が粘着している。
【００１３】
本発明の一実施例において、各弾性層は裁断機構の複合式ブレードに対する剛性或いは靭性の需要に基づき、厚さの調整及び材質の選出を行っている。
【００１４】
本発明の一実施例において、弾性層は一軟性金属材質或いは一コロイド材質である。
【００１５】
本発明の一実施例において、各弾性層はブレードが受ける力の方向に基づき、ブレードのエッジ面及び／或いは背面の一部にどちらかに設けている。
【００１６】
本発明は、一定の間隔毎に一下ローラブレードを設置する一下ローラと、一上ローラブレード及び上ローラブレードのエッジ面及び／或いは背面のどちらかに粘着する少なくとも一弾性層を含む一複合式ブレードモジュール、及び上ローラの一側面に固定し、複合式ブレードモジュールを挟持するブレード治具を含み、下ローラ上方に設置する一上ローラと、上ローラと下ローラとの間に送込まれる一被裁断物とを包括する裁断機構をさらに提供するものであって、下ローラは既定の一方向に回転を行うことで、下ローラのエッジ面と上ローラの外部に露出するエッジ面とが一傾斜角度において互いにすり合って被裁断物を裁断している。
【００１７】
本発明の一実施例において、上ローラを転動することによって上ローラブレードと下ローラブレードとがすり合う際の傾斜角度を調整している。
【００１８】
本発明は、ローラ面の一定の間隔毎にそれぞれ一回転ローラブレード及び回転ローラブレードのエッジ面の一部に粘着する少なくとも一第一弾性層を含む一第一複合式ブレードモジュールを配置し、そのうち、各第一弾性層はそれぞれ一第一固定板を設置し、各第一固定板を利用して各第一複合式ブレードモジュールを回転ローラのローラ面に固定する一回転ローラと、回転ローラの傍に設置し、ローラ面に一固定ローラ一ブレード及び固定ローラブレードのエッジ面の一部に粘着する少なくとも一第二弾性層を包括する一第二複合式ブレードモジュールを配置し、そのうち、第二弾性層は一第二固定板を設置し、第二固定板を利用して第二複合式ブレードモジュールを固定ローラのローラ面に固定する一固定ローラと、回転ローラと固定ローラとの間に送込まれる一被裁断物とを包括する裁断機構をさらにまた提供するものであって、回転ローラは既定の一方向に回転を行うことで、回転ローラの外部に露出するエッジ面と固定ローラの外部に露出するエッジ面とが水平角度において互いにすり合って被裁断物を裁断している。
【００１９】
本発明に係る一実施例において、第二複合式ブレードモジュールはさらに固定ローラブレードの背面と固定ローラのローラ面との間に粘着する少なくとも一第三弾性層を包括している。
【００２０】
本発明に係る一実施例において、固定ローラブレード或いは回転ローラブレードのうちのどれかを一直線状ブレード或いは一鋸歯状ブレードとしている。
【図面の簡単な説明】
【００２１】
【図１】本発明に係る複合式ブレードモジュールの一実施例を表す構造模式図である。
【図２】本発明に係る複合式ブレードモジュールのその他の一実施例を表す構造模式図である。
【図３】本発明に係る複合式ブレードモジュールのその他の一実施例を表す構造模式図である。
【図４】本発明に係る複合式ブレードモジュールを用いる裁断機構の一応用実施例を表す構造模式図である。
【図５】本発明に係る図４において図示された複合式ブレードモジュールの部分拡大図である。
【図６】本発明に係る複合式ブレードモジュールを用いる裁断機構のその他の一応用実施例を表す構造模式図である。
【図７】本発明に係る第一複合式ブレードモジュールを設置する回転ローラを表す立体構造分解図である。
【図８】本発明に係る第一複合式ブレードモジュールを設置する回転ローラを表す部分構造組立図である。
【図９】本発明に係る第二複合式ブレードモジュールを設置する固定ローラを表す立体構造分解図である。
【図１０】本発明に係る第二複合式ブレードモジュールを設置する固定ローラを表す部分構造組立図である。
【発明を実施するための形態】
【００２２】
まず、図１乃至図３を参照すると、それぞれが本発明に係る複合式ブレードモジュールの各実施例を表す構造模式図である。本発明に係る複合式ブレードモジュール１００は、一裁断機構に設置し、そのうち一ブレード１１は少なくとも一同じ或いは異なる材質の弾性層１２１、１２２、１２３から構成している。本発明はブレード１１が受ける力の方向及び構造変化の基づき、一層或いは一層以上の弾性層１２１、１２２及び／或いは１２３をブレード１１の適切な表面、例えばエッジ面１１１及び／或いは背面１１２のどちらかに粘着している。また、本発明の実施例において、各弾性層１２１、１２２、１２３は一粘着性物質、例えば粘着剤によってブレード１１の表面に粘着している。
【００２３】
図１の実施例で図示しているように、弾性層１２１はブレード１１の背面１１２に粘着することができる。また、図２の実施例で図示しているように、弾性層１２２はブレード１１のエッジ面１１１に粘着することもでき、弾性層１２１、１２２はブレード１１の両面を被覆している。或いはまた、図３の実施例で図示しているように、ブレード１１の背面１１２に一弾性層１２１を粘着するだけでなく、さらに一弾性層１２３を粘着することもでき、これによってブレード１１の背面１１２に弾性層１２１、１２３を多層に重ねることができる。また、本発明の一実施例において、ブレード１１のエッジ面１１１に弾性層１２２を多層に重ねることもできる。従って、裁断機構は複合式部ブレードモジュール１００のブレード１１の外部に露出するエッジ面１１１を利用することによって、送り込む一薄型被裁断物、例えば製紙、繊維或いはプラスチックの原料に対して裁断を行っている。
【００２４】
本発明は、裁断機構は複合式ブレードモジュール１００の剛性或いは靭性に対する需要に応じて、適切な材質、厚さを選出した弾性層１２１、１２２及び／或いは１２３をブレード１１の表面に粘着することができる。もし裁断機構が剛性の強い複合式ブレードモジュール１００を必要とする場合、又はブレード１１の厚さが薄く、裁断機構が必要とする剛性に達していない場合、ブレード１１の表面に少なくとも適切な厚さの一軟性金属材質、例えばアルミ或いはステンレスである弾性層１２１、１２２及び／或いは１２３を粘着することで、複合式ブレードモジュール１００の剛性を強化し、被裁断物を裁断する際の効果を改善することができる。或いはまた、裁断機構が靭性の強い複合式ブレードモジュール１００を必要とする場合、又はブレード１１の厚さが厚く、強い硬度を有する場合、ブレード１１の表面に少なくとも適切な厚さのコロイド材質、例えば発泡体テープ、両面テープ、スポンジである弾性層１２１、１２２及び／或いは１２３を粘着することで、複合式ブレードモジュール１００は強い靭性変化を有し、裁断工程におけるブレード１１の断裂を低減することができる。これによって、適切な材質、厚さを選出した弾性層１２１、１２２及び／或いは１２３をブレード１１の表面に粘着することにより、裁断機構は剛性或いは靭性に対する需要に応じた複合式ブレードモジュール１００を得ることができる。
【００２５】
裁断機構が複合式ブレードモジュール１００を使用して一被裁断物を裁断する際、弾性層１２１、１２２及び／或いは１２３は衝撃を緩衝する一緩衝体としてブレード１１の衝撃力を吸収し、ブレード１１の断裂を低減し、ブレード１１の運用寿命を延長している。たとえブレード１１が裁断工程において巨大な衝撃力を断裂したとしても、断裂したブレード１１は粘着性を有する弾性層１２１、１２２及び／或いは１２３に付着することで、断裂したブレード１１が裁断機構中に巻き込まれて損傷したり飛び散ったりして発生する人員の危険を回避できるため、裁断時の安全を確保できる。また、弾性層１２１、１２２及び／或いは１２３はブレード１１に作用する衝撃力を吸収することができるため、有効的に裁断工程中に発生する金属衝撃音を低減することができる。
【００２６】
次に、図４及び図５を参照すると、それぞれが本発明に係る複合式ブレードモジュールを用いる裁断機構の一応用実施例を表す構造模式図と図４において図示された複合式ブレードモジュールの部分拡大図である。本実施例に係る複合式ブレードモジュール３００は、一折込機の裁断機構２００に用いることができる。
【００２７】
裁断機構２００は、一下ローラ２１及び下ローラ２１の上方に設置する一上ローラ２３を包括している。下ローラ２１のローラ面は、一定の間隔毎に一下ローラブレード２２を設置するしている。上ローラ２３は、一複合式ブレードモジュール３００と、一ブレード治具２４とを包括している。ブレード治具２４は上ローラ２３の一側面に固定し、複合式ブレードモジュール３００を挟持している。複合式ブレードモジュール３００は、一上ローラブレード３１及び少なくとも一弾性層３３、３４を含み、そのうち一弾性層３３は上ローラブレード３１の背面３１２、一弾性層３４は上ローラブレード３１のエッジ面３１１に設置している。また、ブレード治具２４は、一第一固定素子２５１によって上ローラ２３の一側面に固定し、上ローラブレード３１は一第二固定素子２５３によってブレード治具２４に固定している。
【００２８】
また、裁断機構２００は一被裁断物２０１をさらに包括し、被裁断物２０１は下ローラ２１のローラ面に付着し、下ローラ２１と上ローラ２３との間に送込まれている。下ローラ２１及び上ローラ２３は、各自のブレード２２、３１を利用してすり合わせるように下ローラ２１に付着した被裁断物２０１を裁断している。裁断機構２００の実際の稼働時は、下ローラ２１は既定の一方向、例えば反時計回りに回転し、上ローラ２３は固定している。その後、そのうちの一下ローラブレード２２が複合式ブレードモジュール３００である上ローラブレード３１の傍まで回転することで、下ローラブレード２２のエッジ面と上ローラブレード３１の外部に露出するエッジ面３１１とが一傾斜角度Θにおいて互いにすり合って被裁断物２０１を裁断している。
【００２９】
なお、裁断機構２００は上ローラ２３を転動することによって上ローラブレード３１と下ローラブレード２２とがすり合う際の傾斜角度Θを調整している。一傾斜角度Θを大きく調整した場合、二ブレード３１、２２は円滑に被裁断物を裁断するが、上ローラブレード３１は大きな衝撃力を受けるため、損傷し易く、さらには断裂し易くなる。逆に、衝撃力を低減するため一傾斜角度Θを小さく調整した場合、被裁断物２０１は二ブレード３１、２２で裁断し易くなくなるという好ましくない裁断効果となる。
【００３０】
二ブレード３１、２２を大きな一傾斜角度Θで互いにすり合うと、上ローラブレード３１が損傷、断裂し易くなるという問題を解決するため、本発明は上ローラブレード３１のエッジ面３１１及び背面３１２の一部にそれぞれ弾性層３３、３４を粘着している。これ等弾性層３３、３４は衝撃を緩衝する一緩衝体として下ローラブレード２２が上ローラブレード３１に作用する衝撃力を吸収し、上ローラブレード３１の断裂を低減し、上ローラブレード３１の運用寿命を延長している。なお、上ローラブレード３１が下ローラブレード２２の衝撃で断裂したとしても、断裂した上ローラブレード３１は粘着性を有する弾性層３３、３４に付着することで、断裂した上ローラブレード３１が飛び散って発生する人員の危険を回避できる。
【００３１】
次に、図６を参照すると、本発明に係る複合式ブレードモジュールを用いる裁断機構のその他の一応用実施例を表す構造模式図である。さらに図７及び図８を参照すると、本発明に係る第一複合式ブレードモジュールを設置する回転ローラを表す立体構造分解図及び部分構造組立図である。さらにまた図９及び図１０を参照すると、本発明に係る第二複合式ブレードモジュールを設置する固定ローラを表す立体構造分解図及び部分構造組立図である。本実施例に係る複合式ブレードモジュール５００、６００は、一ローリング式加工機の裁断機構４００に用いることができる。裁断機構４００は一回転ローラ４１及び回転ローラ４１の傍に設置する一固定ローラ４３を包括している。
【００３２】
そのうち、回転ローラ４１のローラ面は、一定の間隔毎に一第一複合式ブレードモジュール５００を配置している。第一複合式ブレードモジュール５００は一回転ローラブレード５１及び回転ローラブレード５１のエッジ面の一部に粘着する少なくとも一第一弾性層５３を包括している。また、各第一弾性層５３はそれぞれ一固定板４２を設置し、各第一固定板４２を利用することで、各第一複合式ブレードモジュール５００を回転ローラ４１のローラ面に固定している。なお、各第一固定板４２はそれぞれに対応する少なくとも一第一固定素子４２１によって、回転ローラ４１のローラ面に固定している。
【００３３】
また、固定ローラ４３のローラ面は、一第二複合式ブレードモジュール６００を配置している。第二複合式ブレードモジュール６００は、一固定ローラブレード６１及び固定ローラブレード６１のエッジ面の一部に粘着する少なくとも一第二弾性層６３を包括している。また、第二弾性層６３に一第二固定板４４を設置し、第二固定板４４を利用することで、第二複合式ブレードモジュール６００を固定ローラ４３のローラ面に固定している。なお、第二固定板４４は少なくとも一第二固定素子４４１によって、固定ローラ４３のローラ面に固定している。
【００３４】
裁断機構４００は一被裁断物４０１をさらに包括し、被裁断物４０１は回転ローラ４１と固定ローラ４３との間に送込まれている。裁断機構４００の実際の稼働時は、回転ローラ４１は既定の一方向、例えば反時計回りに回転し、固定ローラ４３は固定している。その後、そのうちの一第一複合式ブレードモジュール５００である回転ローラブレード５１が第二複合式ブレードモジュール６００である固定ローラブレード６１の傍まで回転することで、回転ローラブレード５１の外部に露出するエッジ面と固定ローラブレード６１の外部に露出するエッジ面とが一水平角度において互いにすり合って被裁断物４０１を裁断している。
【００３５】
回転ローラブレード５１は、回転ローラ４１のローラ面より比較的長い長さで突出している。回転ローラブレード５１と固定ローラブレード６１とが互いにすり合う際、この比較的長い長さで突出するブレード構成により回転ローラブレード５１本体は大きな変形量を有し、大きな衝撃力を吸収することで、回転ローラブレード５１が裁断工程において断裂が発生し難い状況とすることができる。また、回転ローラブレード５１と固定ローラブレード６１とが互いにすり合う際、回転ローラブレード５１の後端は、前端に作用する力で発生する梃子の原理によって第一固定板４２と押出す力が生じるが、回転ローラブレード５１と第一固定板４２との間にある第一弾性層５３が一緩衝体として押出す力を吸収している。さらに回転ローラブレード５１と固定ローラブレード６１とが互いにすり合った後、回転ローラブレード５１上に発生する一反発力は回転ローラブレード５１の前端から後端まで伝導するが、同じように第一弾性層５３に緩衝して吸収される。このことから、第一弾性層５３によって衝撃力が緩衝して吸収させることで、第一固定板４２が受ける押出す力或いは反発力の衝撃で起こるパーツの緩み或いは損傷を防ぐことができる。
【００３６】
また、回転ローラブレード５１に対して、固定ローラブレード６１は固定ローラ４３のローラ面より比較的短い長さで突出している。回転ローラブレード５１と固定ローラブレード６１とが互いにすり合う際、この比較的短い長さで突出するブレード構成により固定ローラブレード６１の前端が裁断工程において、直接固定ローラ４３のローラ面と押し合うため固定ローラ４３のローラ面の損傷或いは固定ローラブレード６１の前端の断裂が起こり易くなっている。このため、本発明の一実施例において、固定ローラブレード６１の背面と固定ローラ４３のローラ面との間に緩衝体として一第三弾性層６４をさらに粘着することで、裁断工程において、固定ローラブレード６１が直接固定ローラ４３のローラ面と押し合うことを防ぐことができる。なお、上述した第一弾性層５３と同じく、回転ローラブレード５１と固定ローラブレード６１とが互いにすり合う或いは互いにすり合った後、固定ローラブレード６１と第二固定板４４との間にある第二弾性層６３も衝撃力が緩衝して吸収させることで、第二固定板４４が受ける押出す力或いは反発力の衝撃で起こるパーツの緩み或いは損傷を防ぐことができる。
【００３７】
同様に、回転ローラブレード５１或いは固定ローラブレード６１が裁断工程において衝撃によって断裂したとしても、断裂した回転ローラブレード５１或いは固定ローラブレード６１は弾性層５３、６３及び／或いは６４に付着することで、裁断機構４００の稼働時の安全性を確保できる。また、弾性層５３、６３、６４は裁断機構４００の稼働時に発生する熱エネルギーがブレードに伝導することを遮断することで、回転ローラブレード５１或いは固定ローラブレード６１の熱膨張又は冷収縮によるポジショニング偏移が発生するという問題が起こり、裁断の精確性に影響を及ぼすことを防いでいる。
【００３８】
本発明の一実施例において、裁断機構４００は異なる形状のエッジのブレード５１、６１に交換することで被裁断物４０１に対して異なる裁断効果に達することもできる。直線状エッジのブレード５１、６１を使用して被裁断物４０１の裁断を行うと、被裁断物４０１は一直線状の切り口となって切断される。一方、鋸歯状エッジのブレード５１、６１を使用して被裁断物４０１の裁断を行うと、被裁断物４０１は、例えばトイレットペーパにある引きちぎるための一破線状の切り口となって切り取られる。
【００３９】
なお、上述したものは、本発明の一部の実施例に過ぎず、本発明の範囲を限定するものではなく、本発明に係る特許請求の範囲で述べている形状、構造、特徴、方法及びその精神による変化及び修正は、本発明に係る特許請求の範囲に属するものである。
【符号の説明】
【００４０】
１００        複合式ブレードモジュール
１１          ブレード
１１１        エッジ面
１１２        背面
１２１        弾性層
１２２        弾性層
１２３        弾性層
２００        裁断機構
２０１        被裁断物
２１          下ローラ
２２          下ローラブレード
２３          上ローラ
２４          ブレード治具
２５１        第一固定素子
２５２        第二固定素子
３００        複合式ブレードモジュール
３１          上ローラブレード
３１１        エッジ面
３１２        背面
３３          弾性層
３４          弾性層
４００        裁断機構
４０１        被裁断物
４１          回転ローラ
４２          第一固定板
４２１        第一固定素子
４３          固定ローラ
４４          第二固定板
４４１        第二固定素子
５００        第一複合式ブレードモジュール
５１          回転ローラブレード
５３          第一弾性層
６００        第二複合式ブレードモジュール
６１          固定ローラブレード
６３          第二弾性層
６４          第三弾性層
【図１】
2015085506.tif 000003
【図２】
2015085506.tif 000004
【図３】
2015085506.tif 000005
【図４】
2015085506.tif 000006
【図５】
2015085506.tif 000007
【図６】
2015085506.tif 000008
【図７】
2015085506.tif 000009
【図８】
2015085506.tif 000010
【図９】
2015085506.tif 000011
【図１０】
2015085506.tif 000012